【事件の表示】
　平成　８年特許願第３２７５３９号「画像記録体及び電飾用画像記録体」拒絶査定に対する審判事件［平成１０年　６月　９日出願公開、特開平１０−１５１８４５］について、次のとおり審決する。
【結　論】
　本件審判の請求は、成り立たない。
【理　由】
１．手続の経緯・本願発明
　本願は、平成８年１１月２２日の出願であって、その請求項１ないし７に係る発明は、平成１２年１２月４日付けの手続補正書により補正された明細書の記載からみて、その特許請求の範囲の請求項１ないし７項に記載された事項により特定されるものであり、特に請求項１に係る発明は次のとおりのものであると認める。（以下「本願発明」という。）
「透光性を有する基材（Ａ）の片面に、順に、架橋剤で架橋した樹脂を用いた易接着層（Ｂ）、基材（Ａ）側からインキ定着層（Ｃ１）、インキ透過層（Ｃ２）の順に積層された少なくとも２層から構成されているインキ受容層（Ｃ）を形成し、全光線透過率が２０〜７０％である画像記録体であって、少なくともインキ受容層（Ｃ）に顔料インキが存在することにより画像が形成されていることを特徴とする画像記録体。」
 
２．引用刊行物記載の発明
　これに対して、原査定の拒絶の理由に引用された下記の各刊行物には、以下の事項が記載されている。
 
(1) 特開平８−１６４６６６号公報（以下、「刊行物１」という。）
1a. 「【請求項１】透明フィルム支持体の片面に、接着層、インク受理層を順次設けたインクジェット記録シートで、該インク受理層側から光を照射し、支持体側から鑑賞するインクジェット記録シートにおいて、該接着層中に紫外線吸収剤を含有してなることを特徴とするインクジェット記録シート。」
1b. 「【０００５】特に、近年、透光性記録材として用いられるインクジェット記録シートは、高速化・高精細化或いはフルカラー化等のインクジェット記録装置の性能の向上に伴い、ＯＨＰ用、第２原図用途以外にも、大版印画して屋内外部の壁面等の装飾・宣伝公告等の用途にまで拡大している。
【０００６】ここで、装飾・宣伝公告等に用いられるインクジェット記録シートとは、透明或いは半透明のフィルム支持体の片面にインク受理層を設けてなり、画像・文字等の記録を行った後に、インク受理層側から光を照射して、支持体側から鑑賞するといった、いわゆる透光性インクジェット記録シートであり、バックプリント用インクジェット記録シートと呼ばれることもある。」
1c. 「【０００９】……特に装飾・宣伝公告用途といった、自然光、蛍光ランプ等に長期間に渡り曝される場合には、画像の色劣化、インク受理層の黄変化が著しく、さらに、耐熱性の低いフィルムや薄フィルムを用いた場合には、長期間の蛍光ランプ等の放熱により記録シートが波打ったり、湾曲したりする等の問題が生じた。」
1d. 「【００２３】上記のような紫外線吸収剤は、必要により適宜バインダー樹脂と混合して接着層を形成することができる。ここでバインダー樹脂とは、支持体及びインク受理層との接着性が良好なものであり、その分子中には、水酸基、カルボキシ基、アミノ基、エポキシ基、ニトロ基等の極性基を含有するような化合物が好ましい。より具体的には、例えば、ポリビニルアルコール、……、シリル変性ポリビニルアルコール等；無水マレイン酸樹脂、スチレン−ブタジエン共重合体、……、等の共役ジエン系共重合体ラテックス；アクリル酸エステル及びメタクリル酸エステルの重合体または共重合体、……等のビニル系重合体ラテックス；或いはこれらの各種重合体のカルボキシル基等の官能基含有単量体による官能基変性重合体ラテックス；メラミン樹脂、尿素樹脂等の熱硬化合成樹脂系等の接着剤；ポリメチルメタクリレート、ポリウレタン樹脂、不飽和ポリエステル樹脂、塩化ビニル−酢酸ビニルコポリマー、ポリビニルブチラール、アルキッド樹脂等の合成樹脂系接着剤を一種以上、単独で或いは混合して用いることができる。この他、公知の天然、或いは合成樹脂バインダーを単独で或いは混合して用いることができる。
【００２４】さらに、接着層を形成するバインダー樹脂として、上記の化合物以外に、１分子中に２個以上のエチレン性二重結合を含有し、且つエチレン性二重結合の当量が２７０以下の電離放射線硬化性化合物を接着層総重量の１０重量％以上、より好ましくは３０重量％以上用いることにより、長期間の透過光源の放熱によってもなんら変形しないインクジェット記録シートを得ることができる。……」
1e. 「【００３６】……インク受理層が有する適当な不透明度とは、支持体の不透明度や透過光源の光量等によって異なるため一概に示すことはできないが、ＪＩＳ　Ｐ８１３８による不透明度が５％以下であるような透明フィルムの上に、インク受理層を塗工した場合の全体の不透明度として１０〜８０％の値を有していることが好ましい。」
1f. 「【００５０】〔インク〕本発明で云うインクとは、下記の色素、溶媒、その他の添加剤からなる記録液体であり、色素としては、発色性、鮮明性、安定性等が良好な、例えば、C.I.Direct Yellow 12、……等の直接染料、
【００５１】C.I.Acid Yellow 11、……等の酸性染料、その他にも塩基性染料、反応性染料或は食品用色素等の水溶性染料を用いることができる。」
　
(2) 特開平８−２８２０８５号公報（以下、「刊行物２」という。）
2a. 「【請求項１】少なくとも顔料と樹脂エマルジョンと糖と高沸点水溶性有機溶剤と水を含有するインクにより画像を記録するのための、基材上に親水性インク受容層及び表面層を順次積層した透光性インクジェット記録媒体であって、少なくとも上記表面層が耐水性多孔質材料からなることを特徴とする透光性インクジェット記録媒体。」
2b. 「【０００２】……近年、インクジェットプリンタのカラー化に伴って、ＯＨＰ（オーバーヘッドプロジェクタ）用の透明な記録媒体を使用する要求が高まっている。」
2c. 「【０００５】
【発明が解決しようとする課題】従って、本発明は滲み或は混色がなくカラー画像を記録することができ、また記録された印刷物を指で触ったり、或は複数枚重ね合わせたりしても記録部分が汚れることのないカラー記録を実現する新規な透光性インクジェット記録媒体、およびインクジェット記録方法を提供することを目的としている。」
【図１】
2d. 「【００１０】図１は、本発明の透光性インクジェット記録媒体の実施例の断面図であり、透光性インクジェット記録媒体１は、基材２上に、親水性インク受容層３、及び耐水性多孔質材料からなる表面層４が順次積層されて構成されている。」
2e. 「【００１１】基材２は、透明な材料からなり、例えば、ポリエチレンテレフタレート、……等が挙げられる。……これら基材は、使用に際し、後述するインク受容層との接着性を良好ならしめる為、コロナ放電処理等の表面処理を行ったり、プレコート層を設けることもできる。……」
2f. 「【００１２】親水性インク受容層３は、透明な親水性材料からなり、例えば、ポリビニルアルコール、アクリル樹脂、スチレンアクリル共重合体、エチレン−酢酸ビニル重合体、デンプン、ポリビニルブチラール、ゼラチン、カゼイン、アイオノマー、アラビアゴム、カルボキシメチルセルロース、ポリビニルピロリドン、ポリアクリルアミド、フェノール、メラミン、エポキシ、α−オレフィン、ビニルウレタン、セルロース混合エステル、酢酸セルロース、硝酸セルロース、ポリ弗化ビニルデン等の樹脂を１種以上が所望により使用される。さらに、インク受容層の機能を向上させる為、必要に応じて界面活性剤等を添加してもよい。……」
2g. 「【００１３】表面層４は、例えばスチレン、アクリル、ウレタン、エポキシ等の樹脂やシリカ等の金属酸化物を単独或は併用して用いる耐水性多孔質材料からなり、通液性を有し、その表面に付着したインクを速やかに通過せしめる機能を有する。……」
【図２】
【図３】
2h. 「【００１４】次に本発明の透光性インクジェット記録媒体１に記録を行う場合における、インクの挙動について図２および図３を用いて説明する。
【００１５】図２は、インクジェット記録ヘッドによって吐出されたインク滴１０が、透光性インクジェット記録媒体１上に着弾直後の状態であり、また図３は、インク滴１０が、透光性インクジェット記録媒体１中に浸透し、透光性インクジェツト記録媒体１の表面が乾燥した状態である。
【００１６】図２中、インク滴１０は、顔料１１と樹脂エマルジョン１２と、及び糖と高沸点水溶性有機溶剤と水とからなる水溶性成分１３で構成されている。透光性インクジェット記録媒体１の表面層４上に着弾したインク滴１０は、表面層４における微細な孔中へ速やかに浸透していき、親水性インク受容層３表面に到達する。次いで図３中、インク滴１０の水溶性成分１３が、親水性インク受容層３内部へ速やかに吸収されて、インク滴１０の固形分である顔料１１と樹脂エマルジョン１２が、親水性インク受容層３表面、すなわち親水性インク受容層３と、表面層４との間に残ってインク像１４を形成する。本発明によれば、インク滴１０が、表面層４から親水性インク受容層３へ速やかに浸透し、そしてインク滴１０の水溶性成分１３が、親水性インク受容層３内部へ速やかに吸収されるため、モノクロ印字に比べてインク量が２〜３倍多いカラー印字においても、滲み或は混色は起こらない。また、インク像１４は、耐水性を有する表面層４の下に形成されているため、記録された透光性インクジェット記録媒体１を直接指で触ったり、或は複数枚重ね合わせたりしても、インク像１４に直接触れることがないために、記録部分が汚れることはない。」
2i. 「【００４３】
【発明の効果】本発明によれば、滲み或るいは混色がなくカラー画像を記録することができ、また記録された印刷物を指で触ったり、或るいは複数枚重ね合わせたりしても記録部分が汚れることのないカラー記録を実現する新規な透光性インクジェット記録媒体、およびインクジェット記録方法を提供することができる。」
　
(3) 特開昭６２−１３４２８６号公報（以下、「刊行物３」という。）
3a. 「基材と該基材上に設けられたインク受容層とからなる被記録材において、上記基材上にイソシアネート基と反応し得る基を有する化合物とイソシアネート化合物からなり、イソシアネート基が過剰であるポリウレタン系樹脂からなるアンカーコート層が形成されていることを特徴とする被記録材。」（特許請求の範囲第１項）
3b. 「被記録材の調整にあたり、インク受容層の形成に先だって基材の表面に過剰のイソシアネート基を有するポリウレタン系樹脂からなるアンカーコート層を形成することにより、前述の如き種々の要求性能を満足したまま基材とインク受容層の密着性、特に記録時の密着性の問題を解決したものである。」（第４頁左上欄第４〜１０行）
3c. 「実施例１
　透光性基材として厚さ１００μｍ のポリエチレンテレフタレートフイルム（東レ製）を使用し、このフイルム上に下記の組成の塗工液Ａを、乾燥後の膜厚が１μｍ となるようにバーコーター法により塗工し、１３０℃で１分間の条件で乾燥し、アンカーコート層を形成した。次いで、……インク受容層を形成して本発明の透光性被記録材を得た。
　
塗工液Ａ組成
　　ポリエステル（バイロン20SS、東洋紡製）
　　[１０％トルエン・メチルエチルケトン溶液]
　　　　　　　　　　　　　　　　　　　　　　　　　１００部
　　イソシアネート（コロネートＬ、日本ポリウレタン製）
　　[１０％トルエン・メチルエチルケトン溶液]
　　　　　　　　　　　　　　　　　　　　　　　　　　２０部」
（第１０頁右下欄第１８行〜第１１頁左上欄第１５行）
　
　また、原査定に周知例として引用された下記の各刊行物には、以下の事項が記載されている。
　
(4) 特開平１−１８６３７１号公報（以下、「周知例１」という。）
4a. 「透明なプラスチックフィルムの片面に樹脂成分を主体とする透明な画像定着層が設けられ、もう一方の片面には乳白層が設けられ、全光線透過率が３〜８５％、……であることを特徴とする記録用フィルム。」（特許請求の範囲第１項）
4b. 「本発明のフィルムの透明性については、全光線透過率が３〜８５％、……が好ましく、より好ましくは、全光線透過率は５〜６０％、……である。全光線透過率が３％未満では電飾看板としての効果が得られず、８５％を超える範囲では電飾装置の内部構造が見えてしまう。」（第２頁右下第１５行〜第３頁左上欄第１行）
　
(5) 特開平７−１０１０１１号公報（以下、「周知例２」という。）
5a. 「【００４５】本発明の電飾用シートの全光線透過率は３０〜７０％であることが好ましい。全光線透過率が３０％未満であると、電飾看板として使用する場合、光源からの光が電飾用シートを透過しずらくなり、表示が暗くなるばかりか、看板内部の温度が上昇するため火災などの災害を起こす可能性があるため好ましくない。また、全光線透過率が７０％を超えると、光源部分が透けて見えやすいため好ましくない。」
　
３．対比
　本願発明と刊行物１に記載された発明とを対比すると、刊行物１に記載された発明の「透明フィルム支持体」、「接着層」、「インク受理層」、「インクジェット記録シート」は、それぞれ、本願発明の「透光性を有する基材」、「易接着層」、「インキ受容層」、「インキ受容層にインキが存在することにより画像が形成されている画像記録体」に相当する。
　また、刊行物１の接着層に用いられる「メラミン樹脂、尿素樹脂等の熱硬化合成樹脂」や「電離放射線硬化性化合物」（記載事項 1d.）等は、それらが架橋した樹脂であることは明らかである。
　そして、「インク受理層を塗工した場合の全体の不透明度として１０〜８０％の値を有していることが好ましい」（記載事項 1e.）ということは、全光線透過率がある程度の範囲にあることを示している。
　したがって、本願発明と刊行物１に記載された発明とは、
　「透光性を有する基材の片面に、順に、架橋した樹脂を用いた易接着層、インキ受容層を形成し、全光線透過率がある程度の範囲である画像記録体であって、少なくともインキ受容層にインキが存在することにより画像が形成されている画像記録体。」
である点で一致し、以下の点で相違する。
　相違点１：前者は、「顔料インキ」が存在することにより画像が形成されているのに対し、後者は染料インキにより画像が形成されており、顔料インキにより画像を形成することについて記載されていない点。
　相違点２：前者は、インキ受容層が、「基材側からインキ定着層、インキ透過層の順に積層された少なくとも２層から構成されている」のに対し、後者は、そのような２層構成の受容層が記載されていない点。
　相違点３：架橋された樹脂を用いた易接着層に関し、前者が、「架橋剤で架橋した」ことが記載されているのに対し、後者は、架橋剤で架橋したという記載がない点。
　相違点４：前者が、「全光線透過率が２０〜７０％である」のに対し、後者は、全体の不透明度として１０〜８０％の値を有していることが好ましいことが記載されているが、全光線透過率として記載されていない点。
　
４．当審の判断
（相違点１について）
　刊行物１には、「屋内外部の壁面等の装飾・宣伝公告等の用途」（記載事項 1b.）について記載され（本願発明の「電飾用」に相当する。）、「特に装飾・宣伝公告用途といった、自然光、蛍光ランプ等に長期間にわたり曝される場合には、画像等の色劣化、インク受理層の黄変化が著しく・・・等の問題が生じた」（記載事項 1c.）ことが記載されている。一方、顔料インキが、耐光性、耐候性等に優れ、色劣化を起こしにくいことは、周知の技術事項である。
　したがって、上記のような屋外用途で用いる場合の課題の解決のために、染料インキに換えて、堅牢な顔料インキを用いる程度のことは、当業者が容易に想い到ることである。
　
（相違点２について）
　また、刊行物２には、顔料インクにより画像を記録する透光性インクジェット記録媒体が記載されており、しかも、刊行物２記載の「親水性受容層」及び「表面層」は、その機能等からみて、それぞれ、本願発明の「インキ定着層」及び「インキ透過層」に相当する。
　そして、刊行物２に記載された発明は、透光性のインクジェット用画像記録体という点で刊行物１に記載された発明と技術分野が共通している。
　したがって、刊行物１に記載された発明において、色劣化を起こしにくい画像とするために、顔料インキを採用し、しかも、「インク受容層」としては、刊行物２に記載された、顔料インクによる記録に適した「親水性受容層」及び「表面層」、すなわち本願発明の「インキ定着層」及び「インキ透過層」に相当する構成を採用することには、格別の困難性はない。
　
（相違点３について）
　架橋剤で架橋した樹脂を、接着剤として用いることは一般に周知である。
　そして、刊行物３にも、インク受容層と基材との密着性を向上させるため、「架橋剤により架橋した樹脂」に相当するポリウレタン系樹脂からなるアンカーコート層を形成することが記載されている（具体的には、ポリエステルとイソシアネートを加熱することが記載されている。ここで、「イソシアネート」は「架橋剤」、「ポリウレタン系樹脂」は、ポリエステルとイソシアネートの熱架橋反応物であるから、「架橋剤により架橋した樹脂」に相当する。）から、刊行物１における接着層を、「架橋剤により架橋した樹脂」で形成することは、当業者が容易になし得ることである。
　
（相違点４について）
　電飾用途に使用する場合、全光線透過率を適当な上限下限の範囲内に調整することは、周知例１及び２に記載されているように周知技術である。
　したがって、全光線透過率を本願発明における「２０〜７０％」とすることは、当業者が適宜決定し得る程度の数値範囲にすぎない。
　
　また、本願発明の効果も、刊行物１ないし３の記載や周知技術から、当業者が予期し得る程度のことである。
　
５．むすび
　以上のとおり、本願の請求項１に係る発明は、本願出願前に国内で頒布された刊行物１ないし３に記載された発明及び周知技術に基づいて当業者が容易に発明をすることができたものであるから、特許法第２９条第２項の規定により特許を受けることができない。
　したがって、他の請求項についての判断を示すまでもなく、本願は拒絶すべきものである。
　よって、結論のとおり審決する。